(57)【要約】【課題】植物の周囲の土ごと掬って容易に移植することができる移植ゴテを提供する。【解決手段】スコップ部１、１ａを金属もしくはプラスチック製とし、半筒状の掘削体２と棒状の柄部３で構成する。掘削体２を先端に向かい漸減するように傾斜して形成し、基端部には柄部３を固定する。スコップ部１、１ａを湾曲部が対向になるよう配置し、該スコップ部１の両端面とアーム部４の端部を連結する。スコップ部１ａもスコップ部１と同様、両端面を前記アーム部４と連結する。【選択図】図１
2013059265.tif 000002
【特許請求の範囲】
【請求項１】
土を掘削する少なくとも一対のスコップと当該スコップを開閉自在に連結するアームを備えたことを特徴とする移植ゴテ。
【請求項２】
前記アームの端部が前記スコップに対して回動自在に設けられていることを特徴とする請求項１記載の移植ゴテ。
【請求項３】
前記アームが前記スコップと着脱自在であることを特徴とする請求項１または請求項２記載の移植ゴテ。
【発明の詳細な説明】
【技術分野】
【０００１】
本発明は、園芸用の移植ゴテに関するものである。
【背景技術】
【０００２】
従来、園芸作業において、植物の移植や苗を植え付ける際には、特許文献１記載のような移植ゴテを用いることが一般的である。普通の移植ゴテは、柄を把持し半円筒状のスコップ本体を土壌に垂直もしくは傾斜させ差し込み、掘削することに用いられている。
【０００３】
例えば、植物を花壇から植木鉢へ移植する際には、植物の周囲を数回掘削し、植物を土壌と共に掘り起こす。この時作業者は、移植ゴテが植物に干渉し傷つけないよう植物の形状・種類に合わせて掘削している。そして掘り起こした植物ごと、鉢内へ移植する。
【０００４】
一方、鉢植えされた植物を花壇の土壌へ移植する際には、特許文献1乃至３記載のような掘削具を用いる。まず作業者は前記掘削具を用いて、移植先の土壌を適切な範囲掘削する。次に鉢から植物を引抜いて掘削した箇所に植物を移植し、必要であれば土を盛る。鉢から植物を取り出す方法は前記移植ゴテを用いるほか、作業者が植物を手で引き抜く、もしくは鉢自体を壊して植物を取り出している。また植物の苗や球根など比較的小さい植物の移植については特許文献４にて開示されている用具を用いることができる。
【先行技術文献】
【特許文献】
【０００５】
【特許文献１】実用新案登録第３０４１２１５号公報
【特許文献２】実用新案登録第３０６８８６６号公報
【特許文献３】特開平１０−２３４２０５号公報
【特許文献４】特開２００４−１５４１１１号公報
【発明の概要】
【発明が解決しようとする課題】
【０００６】
しかしながら、土壌を掘削するにあたり、従来の移植ゴテは掘削範囲が広くなると土壌に差し込む必要回数が増し、労力を要する。さらに移植ゴテの形状は、半円形の湾曲した曲面となっているため、掘削土がこぼれやすく、根土ごと移植することが困難である。また特許文献２、特許文献３記載の掘削用具は土壌のみの掘削には有効であるが、植物と植物周囲の土を共に掘削する際には使用箇所が自ずと限定される。前記掘削用具の形状は、対向に配置した半円形のスコップを結ぶ連結部分を、半円の中心に配置しており、該連結部分が植物の大きさや形状によって干渉するためである。
【課題を解決するための手段】
【０００７】
このため本発明は、土を掘削する少なくとも一対のスコップと当該スコップを開閉自在に連結するアームを備えたことを第１の特徴とし、前記アームの端部が前記スコップに対して回動自在に設けられていることを第２の特徴とし、前記アームが前記スコップと着脱自在であることを第３の特徴とする。
【発明の効果】
【０００８】
このように、本発明はスコップ部が少なくとも一対となるため、スコップ単体の使用と比べると土壌に差し込む回数が軽減される。またスコップ部は開閉機構を有するため、植物や土砂などの対象物を挟持することが可能になり、スコップ部の空間に保持された対象物はこぼれにくい。さらにアームは着脱自在なため、本発明は土壌にスコップ部を差し込んだ後に再度アームで連結することでスコップ部の差し込み位置が自由度を増す。そのため植物への干渉なく使用できるうえに、アームをはずすことで従来の移植ゴテとしても使用でき用途も広がる。またさらにアームを固定することが可能なため、移植先へ掘削時の形状のまま運搬可能となり、作業効率が高くなる。
【図面の簡単な説明】
【０００９】
【図１】本発明に係る移植ゴテの実施例１を示す斜視図である。
【図２】本発明に係る移植ゴテのアーム部の構造を示す分解斜視図である。
【図３】実施例１の使用状態を示す断面図である。
【図４】本発明に係る移植ゴテの他の実施例の使用状態を示す断面図である。
【発明を実施するための形態】
【実施例１】
【００１０】
以下、本発明を実施するための最良の形態を図面に示す実施例に基づいて説明するが、本発明が本実施例に限定されないことは言うまでもない。
【００１１】
本発明に係る移植ゴテの構成を図１および図２を参照して説明する。図１は本発明の移植ゴテを示す斜視図、図２は本発明のアーム部の分解斜視図である。図１に示すようスコップ部１、１ａは金属もしくはプラスチック製の、半筒状の掘削体２と棒状の柄部３からなり、掘削体２は先端に向かい漸減するように傾斜して形成されており、基端部には柄部３が固定されている。スコップ部１、１ａは湾曲部が対向するように配置され、該スコップ部１の両端面とアーム部４の端部が連結している。スコップ部１ａもスコップ部１と同様、両端面を前記アーム部４と連結している。
【００１２】
アーム部４は図２に示すように、掘削体２の筒形に合わせて適度に湾曲したアーム板６と連結ネジ５などの締結部材からなる。アーム板６の両端は開孔してあり、一方が連結軸５ａ、他方が回動軸７ａの役割を有する。アーム部４の中心となる連結軸５ａは連結ネジ５とナット１１で締結され、間にバネ座金８と平座金９とスコップ部１に取り付くアーム板６と弾性体であるゴムパッキン１０とスコップ部１ａに取り付くアーム板６を締結する。アーム部４の両端となる回動軸７ａはネジ７とナット１１で締結され、間にアーム板６と弾性体であるゴムパッキン１０と掘削体２とバネ座金８を挟んでいる。このような構造によりアーム部４は計６箇所の支点をもち、スコップ部１，１ａ間の内側の容積を変化できる開閉自在の動きを可能としている。また、本実施例ではアーム板６の動きをスムーズにするためバネ座金８、平座金９、ゴムパッキン１０を用いたが、締結方法の好適な一例に過ぎない。
【００１３】
図３は本発明の実施例１の使用状態を示す断面図である。図３に示すようスコップ部１，１ａをアーム部４の連結軸５ａを支点とし両側に広げる。広げる幅は植物の周囲の土まで掘削できるよう、植物より大きく広げる。土壌に対し垂直にスコップ部１，１ａを差し込んだ状態が図３（Ａ）である。次に回動軸７ａを支点とし柄部３を水平方向に倒すように動かし、掘削体２の空間にある掘削土１２を挟持する。連結軸５ａと回動軸７ａのネジを増締めし、アーム部４をホールドした状態が図３（Ｂ）である。柄部３を把持し上方へ引き上げ、植物と周囲の土を掘削した後に移植先まで運搬する。運搬後、植木鉢１３へ移植する状態が図３（Ｃ）であり、今度は掘削時と逆の手順でアーム部４の連結軸５ａと回動軸７ａのネジを緩め、回動軸７ａを支点とし柄部３を垂直方向に倒すことで掘削体２は掘削土１２を解放し、植木鉢１３へ移植する。
【実施例２】
【００１４】
次に本発明の実施例２について図４を参照して説明する。図４（Ａ）に示すようアーム部４を取外し、スコップ部１，１ａのそれぞれを植物に干渉しないように任意の角度で土壌に差し込む。柄部３を内側へ水平に動かし、掘削体２の空間にある掘削土１２を挟持する。連結軸５ａの連結ネジ５を増締めしたアーム部４をスコップ部１，１ａにネジ７とともに取り付け増締めし、固定する。柄部３を把持し、上方へ引き上げた状態が図４（Ｂ）である。以降の移植の作業は実施例１と同様となる。
【００１５】
上述した実施例についてその作用を説明する。実施例１はスコップを単体で使用することと比べると、複数のスコップで同時に掘削するため、作業効率が高まる。またスコップをアームで連結することで操作性にも優れ、さらにアームをホールドすることで運搬時の土こぼれを防ぐことが可能であり、移植作業が確実に行える。
【００１６】
実施例２は、移植具が２つに分離することで植物の大きさや形状に合わせた掘削が可能となる。しかも２つに分離することで従来のスコップとしても使用できる。
【００１７】
尚、本発明は前記実施例に限定されるものではない。例えばアームとスコップを一体化しても良く、アーム板の数が増減しても良い。またアームの材質がフレキシブルに動く弾性体でも構わず、アームがワンタッチで着脱可能な機構を備えていても良い。このように本発明の要旨を逸脱しない範囲で種々の変更が可能であることは言うまでもない。
【符号の説明】
【００１８】
１    スコップ部
２    掘削体
３    柄部
４    アーム部
５    連結ネジ
６    アーム板
７    ネジ
８    バネ座金
９    平座金
１０  ゴムパッキン
１１  ナット
１２  掘削土
１３  植木鉢
【図１】
2013059265.tif 000003
【図２】
2013059265.tif 000004
【図３】
2013059265.tif 000005
【図４】
2013059265.tif 000006